【手続補正書】
【提出日】平成18年5月16日(2006.5.16)
【手続補正１】
【補正対象書類名】明細書
【補正対象項目名】特許請求の範囲
【補正方法】変更
【補正の内容】
【特許請求の範囲】
【請求項１】  回転駆動力を発生する電動モータと、該電動モータからの回転駆動力により回転可能なシリンダと、該電動モータからの回転駆動力を往復運動に変換する運動変換部と、該運動変換部からの往復運動により打撃力を発生するピストン部と、該シリンダ先端に着脱自在に連結され先端工具を保持する工具ホルダと、該先端工具に該ピストン部からの打撃力を伝達する打撃伝達部とを有する打撃工具において、
該先端工具を内装するための工具スリーブと、
該工具スリーブと該シリンダ先端との係合を維持または解除するシリンダ係合・解除機構と、
該工具スリーブと該先端工具との係合を維持または解除する工具係合・解除機構と、
該工具係合・解除機構と該シリンダ係合・解除機構の間に位置し該工具スリーブの外周に同心状に設けた１本のバネとを有し、該バネは該工具係合・解除機構及び該シリンダ係合・解除機構を該シリンダと該工具スリーブの係合状態を維持する方向に付勢することを特徴とする打撃工具。
【請求項２】  該工具係合・解除機構は、該バネの付勢力に抗して先端方向側に移動した際に前記工具スリーブと該先端工具の係合状態を解除し、該シリンダ係合・解除機構は、該バネの付勢力に抗して反先端方向側に移動した際に該シリンダと該工具スリーブの係合状態を解除するものである請求項１記載の打撃工具。
【請求項３】  該工具スリーブには第１貫通孔と第２貫通孔が形成され、該シリンダ外周には凹部が形成され、
該シリンダ係合・解除機構は、該第１貫通孔内で該凹部と係合可能に配置された第１係止部材と、該１本のバネにより該先端工具とは反対方向に付勢されて該第１係止部材と該凹部の係合を固定するように該第１係止部材の外周に接する第１固定部材と、該第１固定部材に連結され該スリーブの軸方向に移動可能な第１操作スリーブとを有し、該第１操作スリーブを先端方向に移動操作することにより該シリンダと該工具スリーブとの係合状態を解除し、
該工具係合・解除機構は、該第２貫通孔内で該工具スリーブ内に挿入された該先端工具と係合可能に配置された第２係止部材と、該１本のバネにより先端方向に付勢されて該第２係止部材と先端工具との係合を固定するように該第２係止部材の外周に接する第２固定部材と、該第２固定部材に連結され該工具スリーブの軸方向に移動可能な第２操作スリーブとを有し、該第２操作スリーブを該反対方向に移動操作することにより該先端工具と該工具スリーブとの係合状態を解除することを特徴とする請求項２記載の打撃工具。
【請求項４】  該第１貫通孔は該工具スリーブに少なくとも２個形成され、それぞれの該第１貫通孔内にそれぞれ該第１係止部材が設けられ、それぞれの該第１係止部材に対応して該凹部と、該第１固定部材とが設けられていることを特徴とする請求項３記載の打撃工具の工具ホルダ。
【請求項５】  該第１操作スリーブと該第２操作スリーブは該工具スリーブと同心状に配置し、該第２操作スリーブは該第１操作スリーブに近い部分の径が第２操作スリーブの先端側に近い部分に比べて大きい大径部を有し、該第１操作スリーブは該第２操作スリーブに近い部分の径が第１操作スリーブの先端側とは反対側部分に比べて小さい小径部を有し、該小径部は該大径部内に収納できる大きさであり、該１本のバネは該大径部と該小径部で画成される空間に同心状に配置されていることを特徴とする請求項３記載の打撃工具の工具ホルダ。
【手続補正２】
【補正対象書類名】明細書
【補正対象項目名】０００５
【補正方法】変更
【補正の内容】
【０００５】
【課題を解決するための手段】
上記目的を達成するために、本発明は、回転駆動力を発生する電動モータと、該電動モータからの回転駆動力により回転可能なシリンダと、該電動モータからの回転駆動力を往復運動に変換する運動変換部と、該運動変換部からの往復運動により打撃力を発生するピストン部と、該シリンダ先端に着脱自在に連結され先端工具を保持する工具ホルダと、該先端工具に該ピストン部からの打撃力を伝達する打撃伝達部とを有する打撃工具において、該先端工具を内装するための工具スリーブと、該工具スリーブと該シリンダ先端との係合を維持または解除するシリンダ係合・解除機構と、該工具スリーブと該先端工具との係合を維持または解除する工具係合・解除機構と、該工具係合・解除機構と該シリンダ係合・解除機構の間に位置し該工具スリーブの外周に同心状に設けた１本のバネとを有し、該バネは該工具係合・解除機構及び該シリンダ係合・解除機構を該シリンダと該工具スリーブの係合状態を維持する方向に付勢する打撃工具を提供している。
以上の構成において、該工具係合・解除機構は、該バネの付勢力に抗して先端方向側に移動した際に前記工具スリーブと該先端工具の係合状態を解除し、該シリンダ係合・解除機構は、該バネの付勢力に抗して反先端方向側に移動した際に該シリンダと該工具スリーブの係合状態を解除するものである。
【手続補正３】
【補正対象書類名】明細書
【補正対象項目名】００２７
【補正方法】変更
【補正の内容】
【００２７】
【発明の効果】
請求項１記載の打撃工具によれば、シリンダ係合・解除機構と工具係合・解除機構との間に、１本のバネが配置され、この１本のバネにより工具ホルダは常にシリンダ先端との係合を維持され、バネの付勢方向と逆の力をシリンダ係合・解除機構に加えると工具ホルダは容易にシリンダ先端から離脱させることが可能となり、同様に、この１本のバネにより先端工具は工具ホルダのスリーブとの係合が維持され、バネの付勢方向と逆の力を工具係合・解除機構に加えると先端工具は容易に工具ホルダから離脱させることができる。このように１本のバネによって２カ所の係合・解除機構を同時に付勢させることができるので、工具ホルダ全体をコンパクト化できる。
そして請求項２記載の打撃工具では、該工具係合・解除機構は、該バネの付勢力に抗して先端方向側に移動した際に前記工具スリーブと該先端工具の係合状態を解除し、該シリンダ係合・解除機構は、該バネの付勢力に抗して反先端方向側に移動した際に該シリンダと該工具スリーブの係合状態を解除する。
【手続補正４】
【補正対象書類名】明細書
【補正対象項目名】００２８
【補正方法】変更
【補正の内容】
【００２８】
請求項３記載の打撃工具によれば、第１操作スリーブを先端側に移動させることにより工具スリーブとシリンダの係合状態が解除され、工具ホルダはシリンダから離脱させることが可能となり、また、第２操作スリーブを先端と反対方向に移動させることにより工具と係合部材の係合状態が解除され、工具は工具ホルダから抜き取ることが可能となる。バネは比較的全長が長い部材であり、２本設ければそれだけ工具ホルダの全長も長くなる。本発明の打撃工具では、１本のバネの両側に工具ホルダのシリンダ係合・解除機構と工具係合・解除機構を配置したので、コンパクトで全長の短い工具保持構造が実現できる。
【手続補正５】
【補正対象書類名】明細書
【補正対象項目名】００２９
【補正方法】変更
【補正の内容】
【００２９】
請求項４記載の打撃工具の工具ホルダによれば、工具スリーブは少なくとも２個の第１貫通孔が形成され、各々の第１貫通孔内には第１係止部材を設け、それぞれに対応して凹部と、第１固定部材が設けられる。シリンダ係合・解除機構の係合固定位置は１カ所であっても効果が得られるが、上下複数であればさらに係合時の安定性が高くなる。バネは同心状に配置されているので、係合固定部分も例えば同心状に複数設けることが可能である。
【手続補正６】
【補正対象書類名】明細書
【補正対象項目名】００３０
【補正方法】変更
【補正の内容】
【００３０】
請求項５記載の打撃工具の工具ホルダによれば、着脱操作時にそれぞれの操作スリーブが互いに重なる構造であり、工具ホルダの全長を短縮できる。